(57)【特許請求の範囲】
【請求項１】
ダンボール片により形成され、フルートの溝方向を高さ方向に向けた本体片が、使用者の左右方向となる長手方向に沿って並び、前記長手方向に延びた溝が底部に形成された枕本体と、
前記枕本体の溝に嵌合する棒状に形成された補強部材とを備え、
前記補強部材は、ダンボール片により形成され、フルートの溝方向を高さ方向に向けた補強用板片が、前記枕本体の短手方向に並べられたものであり、
前記枕本体と前記補強部材とは、コーティング用の溶液が乾燥した樹脂コーティングにより一体的に接着された枕。
【請求項２】
前記樹脂コーティングは、シリカコーティングにより形成された請求項１記載の枕。
【請求項３】
前記枕本体の少なくとも天面または前記天面を覆う周囲全体に、芯材が通気性を有するクッション材により形成されたパッドが配置された請求項１または２記載の枕。
【請求項４】
前記枕本体には、前記枕本体の短手方向または長手方向のいずれか一方または両方に沿って貫通孔が形成された請求項１から３のいずれかの項に記載の枕。
【請求項５】
フルートの溝方向を高さ方向に向けた本体片が、使用者の左右方向となる長手方向に沿って並んだ本体部であり、前記長手方向に延びた溝が底部に形成された枕本体における本体片を、ダンボール板を切断したダンボール片より形成する工程と、
前記枕本体の溝に嵌合する棒状に形成された補強部材となる補強用板片を、フルートの溝方向が高さ方向になるように切り出す工程と、
前記補強用板片を並べて棒状とすると共に、前記補強用板片を前記枕本体の溝に嵌め込むようにして、前記補強用板片上に本体片を並べる工程と、
前記補強用板片を並べて補強部材とした上に、前記本体片を並べた前記枕本体を載せ、コーティング用の溶液に浸漬する、またはコーティング用の溶液を噴霧する工程と、
前記コーティング用の溶液を乾燥させて、前記枕本体と前記補強部材とを樹脂コーティングにより一体的に接着させる工程とを含む枕の製造方法。
【発明の詳細な説明】
【技術分野】
【０００１】
本発明は、ダンボールにより形成された枕および枕の製造方法に関するものである。
【背景技術】
【０００２】
中芯となるフルートが、板表面となるライナーに挟まれたダンボールは、梱包材として多く使用されている。フルートが波状に成形されていることから、フルートがライナーに挟まれても、フルートの凹凸により一方側から他方側に通じる空間ができるため通気性がよい。このことからダンボールを利用した枕が知られている（例えば、特許文献１，２参照。）。
【０００３】
特許文献１に記載の枕は、上面を湾曲させて凹ませた本体を形作るダンボールを、立てた状態で前から後方（本体の短手方向）に並べて、相互に接着剤で貼り合わせて一体化し、本体内の底部にスピーカーを組み込み、カバーで覆ったものである。
【０００４】
また、特許文献２に記載のダンボールを素材とした枕体は、ダンボールを直方体状に形成した有蓋筺体内に、細長状に細断したダンボール片のライナーを上下方向または左右方向に臨ませて、ダンボール片を重合収容し、かつ中央部位に収容したダンボール片に切欠形成した空間部に香料を充墳した包袋を収納すると共に、筺体の蓋部または左右側部に包袋から放散される芳香の放出孔を穿設したものである。
【先行技術文献】
【特許文献】
【０００５】
【特許文献１】実開平３−６９４６５号公報
【特許文献２】実用新案登録３０４３９３９号公報
【発明の概要】
【発明が解決しようとする課題】
【０００６】
枕は使用者の頭部が載置されることから、頭部の重量が掛かる。また、就寝中に向きを変える度に頭部が枕に擦れたり、押し付けられたりする。従って、ダンボール製の枕には、ある程度の強度が確保されなければならない。
特許文献１に記載の枕では、立てた状態のダンボールを相互に接着剤で貼り合わせて一体化しているものの、ダンボールは前から後方に並べられているため、頭部の重量が掛かる中央部は一番高さの低い部分となる。従って、最も外側に位置するダンボールは頭部が短手方向に移動する度に擦れることになるため、剥がれやすく変形しやすい。
【０００７】
また、特許文献２に記載のダンボールを素材とした枕体は、ダンボール片が直方体状の筐体に収容され、蓋が被されているため、蓋に孔が形成されているものの、蓋が通気性を阻害する。
【０００８】
そこで本発明は、通気性を確保しながら、強度を確保することができる枕および枕の製造方法を提供することを目的とする。
【課題を解決するための手段】
【０００９】
本発明の枕は、ダンボール片により形成され、フルートの溝方向を高さ方向に向けた本体片が、使用者の左右方向となる長手方向に沿って並び、前記長手方向に延びた溝が底部に形成された枕本体と、前記枕本体の溝に嵌合する棒状に形成された補強部材とを備え、前記補強部材は、ダンボール片により形成され、フルートの溝方向を高さ方向に向けた補強用板片が、前記枕本体の短手方向に並べられたものであり、前記枕本体と前記補強部材とは、コーティング用の溶液が乾燥した樹脂コーティングにより一体的に接着されたことを特徴とする。
また本発明の枕の製造方法は、フルートの溝方向を高さ方向に向けた本体片が、使用者の左右方向となる長手方向に沿って並んだ本体部であり、前記長手方向に延びた溝が底部に形成された枕本体における本体片を、ダンボール板を切断したダンボール片より形成する工程と、前記枕本体の溝に嵌合する棒状に形成された補強部材となる補強用板片を、フルートの溝方向が高さ方向になるように切り出す工程と、前記補強用板片を並べて棒状とすると共に、前記補強用板片を前記枕本体の溝に嵌め込むようにして、前記補強用板片上に本体片を並べる工程と、前記補強用板片を並べて補強部材とした上に、前記本体片を並べた前記枕本体を載せ、コーティング用の溶液に浸漬する工程とを含むことを特徴とする。
【００１０】
本発明によれば、ダンボール片により形成された本体片が、フルートの溝方向を高さ方向に向けている。そのため、枕本体の天面と底面とはフルートの溝によって通じた状態である。従って、使用者の頭部からの熱や湿気を、下方となる布団の方向へ放散することができる。また、本体片は、使用者の左右方向となる長手方向に並べられている。そのため、使用者の頭部形状に合わせて、枕本体の長手方向の中央部に凹みを付けるときには、中央部の本体片の高さを低くすればよく、本体片は他の本体片により互いに密着した状態で挟み込まれているので、枕本体の中央部の本体片１枚だけが剥がれたり、曲がったりすることはない。更に、補強部材が長手方向に延びているため、枕本体の曲げに対する強度が改善され、枕本体の底部で軸となって枕本体を支持させることができる。
【００１１】
補強部材と枕本体とのフルートが同じ高さ方向を向いているため、補強部材が枕本体の通気性を阻害することなく、枕本体からの熱や湿気を、補強部材を通過させて布団側に放散させることができる。また、補強用板片は、フルートの溝方向を高さ方向に向けているため、補強部材は、枕本体からの押圧力に対して充分な強度を確保することができる。
【００１２】
樹脂コーティングが、枕本体を形成する本体片と、補強部材を形成する補強用板片とを一体的に接着させることができ、硬度、耐久性および耐水性を向上させることができる。
【００１３】
前記樹脂コーティングが、シリカコーティングにより形成されていると、調湿性も向上させることができる。
【００１４】
前記枕本体の少なくとも天面または前記天面を覆う周囲全体に、芯材が通気性を有するクッション材により形成されたパッドが配置されたものとすることができる。使用者は硬い枕本体より柔らかいパッドに頭部を載せることができ、クッション材が通気性を有しているため、パッドにより枕本体の通気性が邪魔される程度を低く抑えることができる。
【００１５】
前記枕本体には、前記枕本体の短手方向または長手方向のいずれか一方または両方に沿って貫通孔が形成されたものとすることができる。枕本体に貫通孔が形成されていると、高さ方向に延びるフリートによる溝から貫通孔へ、通気させることができるため、通気性を更に向上させることができる。
【発明の効果】
【００１６】
本発明の枕によれば、使用者の頭部からの熱や湿気をフルートの溝によって布団の方向へ放散させることができ、更に、枕本体の長手方向に延びる補強部材が枕本体の底部で軸となって枕本体を支持せることができるので、通気性を確保しながら、強度を確保することができる。
【図面の簡単な説明】
【００１７】
【図１】本発明の実施の形態に係る枕を説明するための分解斜視図である。
【図２】（Ａ）は、図１に示す枕本体と補強部材とを示す斜視図、（Ｂ）は（Ａ）の枕本体の本体片を示す斜視図、（Ｃ）は（Ａ）に示す補強部材を示す斜視図である。
【図３】図１に示す枕本体および補強部材の製造方法を説明するための図であり、（Ａ）はダンボール板から切り出された本体片を示す図、（Ｂ）はダンボール板から切り出された補強用板片を示す図、（Ｃ）は、（Ａ）に示す本体片と（Ｂ）に示す補強用板片とにより組み立てられた枕本体および補強部材を示す図、（Ｄ）はシリカコーティングのために、溶液に、枕本体および補強部材を浸漬した状態の図である。
【発明を実施するための形態】
【００１８】
本発明の実施の形態に係る枕を図面に基づいて説明する。
図１に示す枕１０は、ダンボール製の枕の一例である。枕１０は、枕本体２０と、補強部材３０と、パッド４０と、カバー５０とを備えている。
【００１９】
図２（Ａ）および同図（Ｂ）に示すように、枕本体２０は、使用者の後頭部の形状に合わせて、天面２０ａに凹みが形成されていることで、くら状に形成されている。
枕本体２０は、ダンボール片による本体片２１により形成されている。枕本体２０は、本体片２１が使用者の左右方向となる長手方向Ｆ１に沿って並んで形成されている。また、枕本体２０は、本体片２１がフルート２１ａの溝方向を高さ方向Ｆ２に向けられている。
本実施の形態では、本体片２１を形成するダンボール片は、ダブルフルートとも称される複両面ダンボールを採用しているが、フルートが１層である両面ダンボールでもよい。
【００２０】
枕本体２０は、枕本体２０の底部２０ｂには、長手方向Ｆ１に延びた溝２０ｃが形成されている。溝２０ｃは、本体片２１における底部２１ｂの中央が矩形状に切り欠かれた切り欠き部２０ｄが長手方向Ｆ１に連続して繋がることで、矩形溝に形成されている。
【００２１】
図２（Ａ）および同図（Ｃ）に示すように、補強部材３０は、ダンボール片による補強用板片３１により形成されている。補強部材３０は、補強用板片３１が枕本体２０の短手方向Ｆ３に並べられている。また、補強部材３０は、補強用板片３１のフルート３１ａの溝方向を高さ方向Ｆ２に向けられている。
これにより、補強用板片３１が重ねられていることで、図２（Ａ）に示す枕本体２０の溝２０ｃに嵌合する棒状に形成された補強部材３０が形成されている。
なお、本実施の形態では、補強用板片３１を形成するダンボール片は、ダブルフルートとも称される複両面ダンボールを採用しているが、フルートが１層である両面ダンボールでもよい。
【００２２】
枕本体２０と補強部材３０とは、樹脂コーティングされている。コーティングは、噴霧したり、溶液に浸漬したり、塗布したりすることにより形成することができる。コーティング用の樹脂は、シリカやアクリル、酢酸ビニルなどが採用できる。
【００２３】
図１に示すパッド４０は、枕本体２０の天面２０ａに配置される。パッド４０は、芯材が繊維によるクッション材により形成されている。本実施の形態では、芯材を形成する繊維が木綿わたにより形成されている。芯材は、木綿わたとする以外に、通気性と調湿性が確保できれば、合成繊維よる不織布、高通気性を有する連続気泡型の発泡ウレタンにより形成されたものとしてもよい。
【００２４】
また、本実施の形態では、パッド４０が枕本体２０の天面２０ａに配置されているが、頭部への感触を和らげるためには少なくとも天面２０ａに配置されていればよい。また、パッドは、枕本体２０を覆う周囲全体に配置されていてもよい。周囲全体とは、枕本体２０の天面２０ａと４つの側壁とを囲う場合、または、枕本体２０の天面２０ａと４つの側壁とに底面も含める場合がある。更に、枕本体２０の周囲全体を囲うパッドとするときには、従来のカバーに入ったクッション枕に本実施の形態に係る枕１０または補強部材３０が設けられた枕本体２０を一緒に入れれば、従来のクッション枕をパッドとして機能させることができる。
【００２５】
カバー５０は、カバー本体５１が枕本体２０を収納可能な空間を有し、カバー本体５１の底部５１ａに、補強部材３０が嵌合した枕本体２０を収納してカバー本体５１を閉鎖するためのファスナー５２が配置されている。
カバー本体５１は、枕本体２０の形状に合わせて形成されている。ファスナー５２は、カバー本体５１の底部５１ａにおける短辺５１ｍと短辺５１ｍの一端から続く長辺５１ｎとに跨って形成されている。なお、ファスナー５２は、カバー本体５１がパッド４０と共に補強部材３０が設けられた枕本体２０を収納した状態で閉鎖できれば、線ファスナーでも面ファスナーでもよく、ボタンやスナップボタン等とすることも可能である。
【００２６】
以上のように構成された本発明の実施の形態に係る枕１０の製造方法について、図面に基づいて説明する。
まず、レーザー加工または打ち抜き加工などにより、大判のダンボール板を切断して、枕本体２０の高さ方向Ｆ２にフルート２１ａの溝方向を有する垂直断面形状の本体片２１を切り出す。そうすることで、枕本体２０の長手方向Ｆ１の一端部から他端部（例えば、左端から右端、または右端から左端。）までの本体片２１を、図３（Ａ）に示すように、ダンボール片により形成する。
また、レーザー加工または打ち抜き加工などにより、ダンボール板から、図３（Ｂ）に示すように、細長の長方形状に補強用板片３１を、フルート３１ａの溝方向が高さ方向Ｆ２になるように切り出す。
【００２７】
次に、図３（Ｃ）に示すように、補強用板片３１を並べて棒状とすると共に、補強用板片３１を溝２０ｃに嵌め込むようにして、補強用板片３１上に本体片２１を並べる。このとき、本体片２１同士の間を接着材により接着しておいてもよい。
【００２８】
次に、補強用板片３１を並べた補強部材３０とした上に、本体片２１を並べた枕本体２０を載せたものを、コーティング用の溶液Ｓに浸漬する。本実施の形態では、コーティング用の溶液Ｓは、シリカとしている。この溶液Ｓは、フルート２１ａ，３１ａ（図２（Ａ）および同図（Ｃ）参照）の溝に流入しても、流れ出る程度の粘性と流動性を有している。
【００２９】
例えば、図示しない籠に、枕本体２０を入れ、籠ごと溶液Ｓに浸漬すれば、枕本体２０と補強部材３０との表面全体に、シリカコーティングのための溶液Ｓを付着させることができる。溶液Ｓが乾燥すれば、図１に示す補強部材３０が嵌合した枕本体２０が完成する。
そして、枕本体２０上にパッド４０を配置してカバー５０を被せ、例えば、ファスナー５２を閉じれば、枕１０が完成する。
【００３０】
以上のように、本発明の実施の形態に係る枕１０によれば、図２（Ａ）に示すように、本体片２１が、本体片２１のフルート２１ａの溝方向を高さ方向Ｆ２に向けられている。そのため、使用者の頭部からの湿気や熱はフルート２１ａの溝によって布団の方向へ放散される。従って、枕１０は良好な通気性を確保することができる。また、本体片２１のフルート２１ａの溝方向が高さ方向Ｆ２に向けられているため、フルート２１ａにより枕本体２０の強度を向上させることができる。
【００３１】
本体片２１は、長手方向Ｆ１に並べられている。そのため、使用者の頭部形状に合わせて、枕本体２０における長手方向Ｆ１の中央部に凹みを付けるために、中央部の本体片２１の高さを、枕本体２０の長手方向Ｆ１の両端部の本体片２１より低くすればよく、本体片２１は他の本体片２１により互いに密着した状態で挟み込まれている。従って、中央部の本体片２１の１枚だけが剥がれたり、曲がったりすることはない。
【００３２】
更に、使用者の頭部が、枕本体２０の中央部を押圧しても、使用者の長手方向Ｆ１に揺れても、更に、短手方向Ｆ３に移動しても、補強部材３０が長手方向Ｆ１に延びており、枕本体２０の底部２０ｂで軸となって枕本体２０を支持する。従って、枕本体２０の曲げに対する強度が改善され、枕本体２０を形成する本体片２１がずれたり、曲がったり、崩れたりすることを補強部材３０により防止することができる。従って、枕１０は、枕としての強度を確保することができる。
【００３３】
補強部材３０は、補強用板片３１のフルート３１ａの溝方向を高さ方向Ｆ２に向けたダンボール片により形成されている。そのため、補強部材３０と、補強部材３０上の枕本体２０とのフルート２１ａ，３１ａが同じ高さ方向Ｆ２を向いている。従って、補強部材３０が枕本体２０の通気性を阻害することなく、枕本体２０からの熱や湿気を、補強部材３０を通過させて布団側に放散させることができる。また、補強用板片３１は、フルート３１ａの溝方向を高さ方向Ｆ２に向けているため、補強部材３０は、枕本体２０からの押圧力に対して充分な強度を確保することができる。
【００３４】
枕本体２０と補強部材３０とがシリカコーティングされることのより一体的に接着されることで、枕本体２０を形成する本体片２１と、補強部材３０を形成する補強用板片３１とを一体的に接着させることができ、通気性を維持したままで、硬度、調湿性、耐久性および耐水性を向上させることができる。
【００３５】
更に、図１に示すパッド４０が、芯材が繊維によるクッション材により形成され、枕本体２０の天面２０ａに配置されていることで、使用者の頭部が硬い枕本体２０より柔らかいパッド４０に載せることができる。また、クッション材が繊維等により形成されているため、パッド４０により枕本体２０の通気性が邪魔される程度を低く抑えることができる。
【００３６】
なお、枕本体２０に、枕本体２０の短手方向Ｆ３、または枕本体２０の長手方向Ｆ１のいずれか一方、または両方に貫通する貫通孔が形成されていてもよい。このとき、貫通孔は、補強部材３０の上方を通過する位置が、枕本体２０に穿孔するときに補強部材３０を傷つけてしまうことが防止できるため望ましい。
枕本体２０に貫通孔が形成されていると、高さ方向Ｆ２に延びるフルート２１ａによる溝から貫通孔へ、通気させることができるため、通気性を更に向上させることができる。
【００３７】
また、補強部材３０の補強用板片３１がダンボール片により形成されているが、補強部材はダンボール製とする以外に、木製としたり、樹脂製としたりすることができる。
この場合には、補強部材に高さ方向Ｆ２に延びる貫通孔が形成されていることが、通気性の観点から望ましい。
【産業上の利用可能性】
【００３８】
本発明の枕は、幼児から老人まで、一般家庭から、病院や介護・養護施設、ホテルや旅館、民宿のような宿泊施設などの施設で、幅広く使用することができる。
【符号の説明】
【００３９】
１０  枕
２０  枕本体
２０ａ  天面
２０ｂ  底部
２０ｃ  溝
２０ｄ  切り欠き部
２１  本体片
２１ａ  フルート
２１ｂ  底部
３０  補強部材
３１  補強用板片
３１ａ  フルート
４０  パッド
５０  カバー
５１  カバー本体
５１ａ  底部
５２  ファスナー
Ｆ１  長手方向
Ｆ２  高さ方向
Ｆ３  短手方向
Ｓ  溶液
【要約】
【課題】通気性を確保しながら、強度を確保することができる枕を提供する。
【解決手段】枕１０は、枕本体２０と、補強部材３０とを備えている。枕本体２０は、ダンボール片により形成され、フルートの溝方向を高さ方向Ｆ２に向けた本体片２１が、使用者の左右方向となる長手方向Ｆ１に沿って並べられている。枕本体２０は、枕本体２０の長手方向Ｆ１に延びた溝２０ｃが底部２０ｂに形成されている。補強部材３０は、枕本体２０の溝２０ｃに嵌合する棒状に形成されている。
【選択図】図１【図１】
0006736746.tif 000002
【図２】
0006736746.tif 000003
【図３】
0006736746.tif 000004